(57)【要約】【課題】  簡易な構造で採光性、断熱性及び生産性を向上させることができ、且つ、安全性にも優れる引き戸を提供する。【解決手段】  建物開口部に沿って設けられた枠体と、枠体の見付方向内側に配置される障子とを備え、障子が、ガラスパネルと、ガラスパネルの外縁を覆うように設けられた框と、を備えるとともに、該框のうち戸先框には別体に引手が設けられ、引手には、当該引手を障子に取り付け可能に形成された取り付け片と、引手の前記戸先框側とは反対側に形成された指掛け部と、該指掛け部よりも前記戸先框側に指挟み防止可能に形成された傾斜部と、が備えられる、引き戸とする。【選択図】図６
2010285836.tif 000002
【特許請求の範囲】
【請求項１】
建物開口部に沿って設けられた枠体と、該枠体の見付方向内側に配置される障子とを備え、
前記障子が、ガラスパネルと、該ガラスパネルの外縁を覆うように設けられた框と、を備えるとともに、該框のうち戸先框には別体に引手が設けられ、
前記引手には、該引手を前記障子に取り付け可能に形成された取り付け片と、該引手の前記戸先框側とは反対側に形成された指掛け部と、該指掛け部よりも前記戸先框側に指挟み防止可能に形成された傾斜部と、が備えられる、引き戸。
【請求項２】
前記框には断面形状がコ字状の被覆片が備えられ、前記引手の前記取り付け片が、前記コ字状の被覆片のうち見込み方向室内側に面する室内側片の見込み方向室外側面に配置されている、請求項１に記載の引き戸。
【請求項３】
前記コ字状の被覆片と前記ガラスパネルとが接着手段により接着されるとともに、該接着手段により、前記引手の前記取り付け片が、前記コ字状の被覆片のうち見込み方向室内側に面する室内側片の見込み方向室外側面に接着されている、請求項２に記載の引き戸。
【請求項４】
前記引手の前記取り付け片が、前記コ字状の被覆片のうち見込み方向室内側に面する室内側片の見込み方向室外側面に配置されるとともに、前記コ字状の被覆片のうち見込み方向に延在する片の見付け方向内側面と前記ガラスパネル端部の見込み面との間に延在するように配置されている、請求項２又は３に記載の引き戸。
【請求項５】
引き戸が閉鎖された姿勢において、室内側正面視で、前記戸先框の見付け幅の５０％以上が隠蔽されている、請求項１〜４のいずれかに記載の引き戸。
【発明の詳細な説明】
【技術分野】
【０００１】
本発明は住宅や公共施設等の建物開口部に好適に用いられる引き戸に関する。
【背景技術】
【０００２】
建物開口部に備えられる引き戸は、建物開口部の縁に沿って配置される枠体と、該枠体の内側に設けられる障子とを備えており、さらに障子はガラスパネルと該ガラスパネルの４辺に沿って配置される框とを有している。
【０００３】
ガラスパネルへの框の取り付けは、断面形状略コ字状である框の該コ字状の内側にガラスパネルの端部を差し込むようにして行われるが、従来においては例えば特許文献１に記載のように、グレージングチャンネルを介していた。当該グレージングチャンネルにより框をガラスパネルに安定して取り付けできるとされている。
【０００４】
一方、引き戸には引手が備えられ、当該引手に手指を引っ掛けて、障子を見付け方向にスライド可能とされる。引手については、例えば、戸先框に溝部を設けて引手としたものが知られている。戸先框に設けられた溝部に指を引っ掛けることで、障子を見付け方向にスライドさせることができるのである。また、ガラスパネルに貼着式の引手を貼り付けたもの（特許文献２）や、戸先框の一部に引手を取り付けたもの（特許文献３）も知られている。
【先行技術文献】
【特許文献】
【０００５】
【特許文献１】特開２００５−２０７２１９号公報
【特許文献２】特開平１０−３３２８７号公報
【特許文献３】特開２００７−１０７３８１号公報
【発明の概要】
【発明が解決しようとする課題】
【０００６】
しかしながら、特許文献１のように框の取り付けにグレージングチャンネルやビード材を用いることは、框材を太く形成する必要があり、その分ガラスパネルの採光面積が狭くなってしまう。従って、框を小型化して採光性を向上させたいとの要望が多い。また、框を細くすることにより、断熱性の高いガラス部分の面積を大きくすることもできる。さらに、グレージングチャンネルやビード材を用いる場合、その分の部品点数の増加し、組立工程も必要となってしまうため、これら問題を解決してさらに簡易な構造で容易な製造工程による引き戸も求められている。
【０００７】
また、引き戸の框を小型化するには、框自体に溝部を設けて引手とするよりも、特許文献２、３のように、別途引手を設けることが効果的と考えられる。しかしながら、特許文献２、３のようにガラスパネルや戸先框に別途引手を設ける場合、引き戸を開放させていくと、引手が召し合わせ框や壁等と行き違うこととなる。この場合において、特許文献２、３に記載されたような引手にあっては、引手と召し合わせ框や壁等とが行き違う時、指を挟んでしまう虞があった。
【０００８】
そこで、本発明は上記問題点に鑑み、簡易な構造で採光性、断熱性及び生産性を向上させることができ、且つ、安全性にも優れる引き戸を提供することを課題とする。
【課題を解決するための手段】
【０００９】
以下、本発明について説明する。尚、本発明の理解を容易にするために添付図面の参照符号を括弧書きにて付記するが、それにより本発明が図示の形態に限定されるものではない。また、本明細書において、「見付け方向」とは、建物開口部に備えられる引き戸の開口面に沿った方向を意味する。また、「見込み方向」とは引き戸の開口面と直行する方向（厚さ方向）を意味し、「見込み方向室外側」とは、引き戸が建物に取り付けられた姿勢で室外側となる方向であり、「見込み方向室内側」は、引き戸が建物に取り付けられた姿勢で室内側となる方向である。
【００１０】
本発明は、建物開口部に沿って設けられた枠体（１０）と、枠体の見付方向内側に配置される障子（２０、３０）とを備え、障子が、ガラスパネル（２５、３５）と、ガラスパネルの外縁を覆うように設けられた框（２１〜２４、３１〜３４）とを備えるとともに、当該框のうち戸先框（２３、３３）には別体に引手（５０）が設けられ、引手には、当該引手を障子に取り付け可能に形成された取り付け片（５０ａ）と、引手の戸先框側とは反対側に形成された指掛け部（５０ｄ）と、当該指掛け部よりも戸先框側に指挟み防止可能に形成された傾斜部（５０ｂ）とが備えられる、引き戸（１００）を提供して前記課題を解決するものである。
【００１１】
本発明において、「戸先框には別体に引手が設けられ」とは、引手を戸先框に接触させて引手が障子に取り付けられている形態のほか、戸先框に近接するように引手が障子に取り付けられている形態をも含む概念である。
【００１２】
本発明において、框（２１〜２４、３１〜３４）には断面形状がコ字状の被覆片（２１ｃ〜２４ｃ、３１ｃ〜３４ｃ）が備えられ、引手（５０）の取り付け片（５０ａ）が、コ字状の被覆片のうち見込み方向室内側に面する室内側片の見込み方向外側面に配置されていることが好ましい。このようにすれば、十分な強度を有して引手を框へと容易に取り付けることができ、框の見付け寸法を不要に増大させる必要がなくなるからである。
【００１３】
本発明において、コ字状の被覆片（２１ｃ〜２４ｃ、３１ｃ〜３４ｃ）とガラスパネル（２５、３５）とが接着手段（６０）により接着され、当該接着手段により、引手（５０）の取り付け片（５０ａ）が、コ字状の被覆片のうち見込み方向室内側に面する室内側片の見込み方向外側面に接着されていることが好ましい。框とガラスパネルとが接着されることで、框の見付け寸法をさらに小さくすることができ、さらに採光性、断熱性に優れる引き戸とすることができるからである。また、被覆片とガラスパネルとを接着する接着手段を引手の接着にも併用できるため、別途引手固定用の部材等を用意する必要がなく、コストが抑えられ、生産性にも優れる。さらに、框の見付け寸法がさらに小さくされても、本発明の引手は、取り付け片が平板状に形成されて全体として薄く形成され得るので、框に容易に取り付けることができる。
【００１４】
本発明において、引手（５０）の取り付け片（５０ａ）が、コ字状の被覆片（２１ｃ〜２４ｃ、３１ｃ〜３４ｃ）のうち見込み方向室内側に面する室内側片の見込み方向外側面に配置されるとともに、コ字状の被覆片のうち見込み方向に延在する片の見付け方向内側面とガラスパネル（２５、３５）端部の見込み面との間に延在するように配置されていることが好ましい。このようにすれば、引手の取り付け片の端部をガラスパネル端部に引っ掛けた状態で戸先框とガラスパネルとに挟持され、引手を見付け方向、見込み方向双方に対し、より強固に固定することができる。
【００１５】
本発明において、引き戸が閉鎖された姿勢において、室内側正面視で、戸先框（２３、３３）の見付け幅の５０％以上が隠蔽されることが好ましい。例えば、枠体（１０）にカバー部材（７０、７１）を設けたり、戸先框の室内側に柱等を設けることによって、戸先框の隠蔽が可能である。戸先框を室内正面視で隠蔽すれば、框を介しての室内外の熱移動が抑制されるため、断熱性に優れる引き戸とすることができる。また、戸先框が外観に与える影響が抑えられるため、シンプルで意匠性に優れる引き戸とすることもできる。かかる観点から、本発明においては、引き戸が閉鎖された姿勢において、室内側正面視で、戸先框の見付け幅のすべてが隠蔽されることが特に好ましい。尚、本発明の引き戸は戸先框に引手が別途設けられているため、戸先框が室内視で露出していなくとも、障子の開閉が可能である。
【発明の効果】
【００１６】
本発明によれば、簡易な構成で引手が戸先框に取り付けられるので、框の見付け寸法を小さくすることが可能となり、採光性、断熱性に優れる引き戸とすることができる。また、戸先框に設けられた引手には、指挟み防止のための傾斜部が設けられているので、引き戸を開放する際、引手が召し合わせ框や壁等と行き違っても、引手から指が抜けるため、指を挟むことがない。さらに、本発明にかかる引手は、簡易な構成を有し、外観がシンプルで意匠性にも優れる。以上のことから、本発明によれば、簡易な構造で採光性、断熱性を向上させることができ、且つ、安全性に優れる引き戸を提供することが可能となる。
【００１７】
本発明のこのような作用及び利得は、次に説明する発明を実施するための最良の形態から明らかにされる。尚、下記実施形態においては、外障子と内障子とを有する、引き違いの引き戸について説明するが、本発明はこれに限定されない。引き戸の開閉の際、引手が壁等と行き違うような引き戸でもよい。
【図面の簡単な説明】
【００１８】
【図１】引き戸の室内正面視における概略図である。
【図２】引き戸の縦断面を概略的に示す図である。
【図３】引き戸の縦断面を概略的に示す図である。
【図４】引き戸の横断面を概略的に示す図である。
【図５】引き戸の横断面を概略的に示す図である。
【図６】引手の安全構造を説明するための図である。
【図７】引手の形状を説明するための図である。
【図８】引手の形状を説明するための図である。
【図９】引手の形状を説明するための図である。
【発明を実施するための形態】
【００１９】
以下本発明を図面に示す実施形態に基づき説明する。図１は、一実施形態にかかる引き戸１００が建物開口部に取り付けられた姿勢における、当該引き戸１００の室内視正面図である。図１において引き戸１００は両戸先側が開放された姿勢にある。図２は、図１にＩＩ−ＩＩで示した線（垂直方向）に沿った断面図である。図３は、図１にＩＩＩ−ＩＩＩで示した線（垂直方向）に沿った断面図である。図４は、図１にＩＶ−ＩＶで示した線（水平方向）に沿った断面図である。但し、図４においては、引き戸１００が閉鎖された姿勢にある。図５は、外障子２０が開放され、引手２６が内召し合わせ框３４と行き違う状態にある引き戸１００を示す水平方向断面図である。図２、３では紙面左側が室外側、紙面右側が室内側となっている。また、図４、５では紙面下側が室内側、紙面上側が室外側となっている。図が煩雑となるのを防ぐため、いずれの図においても、部材の一部を省略して示している。
【００２０】
引き戸１００は、建物開口部の四辺に沿って配置される枠体１０、及び当該枠体１０の見付け方向内側に具備されて引戸式に開閉する障子２０、３０を備えている。また、施錠装置４０が設けられ、障子２０、３０の施錠及び開錠を可能としている。
【００２１】
＜枠体１０＞
枠体１０は、上下のそれぞれに水平に配置される長尺部材である横枠１１、１２、及び当該横枠１１、１２の端部を渡して設けられる長尺部材である縦枠１４、１５を備え、これらが枠状に形成されている。
【００２２】
横枠１１は、枠体１０の上横枠に相当する枠材である。横枠１１は、図２及び図３に表される断面において、片１１ａ〜１１ｇを有して、紙面奥手前に延在している。横枠１１は、見込み方向に延びる片１１ａを備えており、当該片１１ａの見込み方向室内側端部には、見付け方向内側に延びる片１１ｂが設けられている。また、片１１ｂの見込み方向室内側面からは、見込み方向室内側に延びる片１１ｃが設けられている。一方、片１１ａの見付け方向内側面において、見付け方向室内側に延びる片１１ｄ〜１１ｆが設けられており、これら片１１ｄ〜１１ｆは、障子２０、３０や任意に備えられる網戸（不図示）をスライドさせるための上部レールとして機能する。また片１１ａの見付け方向外側面において、見付け方向外側に延びる片１１ｇが備えられ、横枠１１を建物躯体に取り付け可能としている。
【００２３】
横枠１２は、枠体１０の下横枠に相当する枠材である。横枠１２は、図２及び図３に表される断面において、片１２ａ〜１２ｋを有して、紙面奥手前に延在している。横枠１２には、見込み方向に延びる片１２ａが備えられている。当該片１２ａは、見込み方向室外側端部において見付け方向内側に延びる片１２ｂ、見付け方向外側に延びる片１２ｃを備え、見込み方向室内側端部において見付け方向内側に延びる片１２ｄ、見付け方向外側に延びる片１２ｅを備えている。当該片１２ｄと片１２ｅとの間には、見込み方向室内側に延びる片１２ｆが備えられている。また、片１２ａの見付け方向内側面からは、見付け方向内側に向かって片１２ｇ、１２ｈが延びている。一方、片１２ａの見付け方向外側面からは、見付け方向外側に向かって片１２ｊが延びている。また、片１２ｃと片１２ｊとを渡すように、片１２ｋが設けられている。片１２ｂの見付け方向内側端部は、任意に備えられる網戸（不図示）をスライドさせるための下部レールとして機能する。また、片１２ｇ、１２ｈに、障子２０、３０の下横框２２、３２内に備えられた戸車２８、３８が載置されて、障子２０、３０をスライド可能としている。さらに、片１２ａ、１２ｃ、１２ｊ、１２ｋによって囲まれる空間は中空とされており、例えば当該空間を介して、下横枠の排水がなされ得る。排水のため、片１２ａ、１２ｃ等に、排水口や排水弁が設けられていてもよい。
【００２４】
縦枠１４、１５は、図４に示される断面において、片１４ａ〜１４ｅ、１５ａ〜１５ｅを有して、紙面奥手前に延在している。縦枠１４、１５は、見込み方向に延びる片１４ａ、１５ａを備えている。また、縦枠１４、１５の見込み方向室内側端部、及び見込み方向室外側端部には、片１４ｂ、１４ｅ、１５ｂ、１５ｅが備えられている。さらに、縦枠１４、１５の見付け方向内側面からは、見付け方向内側に延びる片１４ｃ、１５ｃが備えられており、当該片１４ｃ、１５ｃと、障子２０、３０の戸先框２３、３３に備えられるフィンとによって、縦縁の水密気密が保たれている。一方、縦枠１４、１５の見付け方向外側面からは、見付け方向外側に延びる片１４ｄ、１５ｄが備えられ、縦枠１４、１５の建物躯体への固定を可能としている。また、縦枠１４、１５の見付け方向内側面には、見込み方向室内側に、カバー部材７０、７１が備えられている。当該カバー部材７０、７１が備えられることによって、障子２０、３０の閉鎖の姿勢で、後述する戸先框２３、３３の少なくとも一部が、室内視において隠蔽された状態となる。戸先框２３、３３は、カバー部材７０、７１や柱等の別部材（不図示）によって、室内側正面視において、見付け面（好ましくは見付け幅）の５０％以上が隠蔽されていることが好ましい。これにより、引き戸１００の意匠性を向上させることができる。また、カバー部材７０、７１が備えられることで、戸先框２３、３３を介しての室内外の熱交換が抑えられるので、断熱性に優れる引き戸１００とすることができる。かかる観点から、戸先框２３、３３は、障子２０、３０閉鎖の姿勢で、室内正面視ですべてが隠蔽されていることが特に好ましい。カバー部材７０、７１の材質については、断熱性の観点から樹脂とすることが好ましい。
【００２５】
＜障子２０＞
障子２０は、外障子に相当する障子で、上横框２１、下横框２２、戸先框２３、外召し合わせ框２４、ガラスパネル２５、及び引手５０が備えられている。
【００２６】
（上横框２１）
上横框２１は、図２に表される断面において、見込み方向室内側に面する室内側片２１ａと、見込み方向室外側に面する室外側片２１ｂと、ガラスパネル２５の外縁を覆うように略コ字状に形成されたコ字状被覆片２１ｃとを有して、紙面奥手前に延在している。また、コ字状被覆片２１ｃとガラスパネル２５とは接着手段６０を介して直接接着され、上横框２１とガラスパネル２５とが一体とされている。上横框２１とガラスパネル２５とが直接接着されることで、上横框２１の見付け幅を縮小することができ、ガラスパネル２５の採光面積を拡大することができる。また、外観視において框の与える影響が少なくなり、シンプルで意匠性に優れた引き戸とすることができる。さらに、ガラスパネル部分をより大きくとることができるので、断熱性に優れる引き戸とすることができる。
【００２７】
（下横框２２）
下横框２２は、図２で示される断面において、見込み方向室内側に面する室内側片２２ａと、見込み方向室外側に面する室外側片２２ｂと、ガラスパネル２５の外縁を覆うように略コ字状に形成されたコ字状被覆片２２ｃとを有して、紙面奥手前に延在している。また、コ字状被覆片２２ｃとガラスパネル２５とは接着手段６０を介して直接接着され、下横框２２とガラスパネル２５とが一体とされている。下横框２２とガラスパネル２５とが直接接着されることで、下横框２２の見付け幅を縮小することができ、ガラスパネル２５の採光面積を拡大することができる。また、外観視において框の与える影響が少なくなり、シンプルで意匠性に優れた引き戸とすることができる。さらに、ガラスパネル部分をより大きくとることができるので、断熱性に優れる引き戸とすることができる。一方、下横框２２の、片２２ａ〜２２ｃによって囲まれる空間には戸車２８が備えられ、当該戸車２８は、下横枠１２の片１２ｄに載置されることで障子２０がスライド可能とされている。また、片２２ｂの見込み方向室内側面にはフィンが設けられ、下横枠１２の片１２ｄと接することで障子２０下縁の水密気密が保たれている。
【００２８】
（戸先框２３）
戸先框２３は、図４で示される断面において、室内側片２３ａ、室外側片２３ｂ、及びコ字状被覆片２３ｃで示される形状を有して、紙面奥手前に延在している。これら片２３ａ〜２３ｃは一体に形成されており、コ字状被覆片２３ｃとガラスパネル２５とが、接着剤等の接着手段６０により直接接着されることで、戸先框２３とガラスパネル２５とが一体とされている。戸先框２３とガラスパネル２５とが直接接着されることで、戸先框２３の見付け幅を縮小することができ、ガラスパネル２５の採光面積を拡大することができる。また、外観視において框の与える影響が少なくなり、シンプルで意匠性に優れた引き戸１００とすることができる。戸先框２３の片２３ｂの見込み方向室内側面にはフィンが設けられ、縦枠１５の片１５ｃと接することで障子２０横縁の水密気密が保たれている。また、図１に示されるように、戸先框２３の略中央部には引手５０が設けられ、障子２０を見付け方向に容易にスライド可能としている。引手５０の構成については後述する。
【００２９】
（外召し合わせ框２４）
外召し合わせ框２４は、外召し合わせ部に用いられる縦框である。外召し合わせ框２４は、図４で示される断面において、略矩形状の矩形部２４ａと略コ字状のコ字状被覆片２４ｃとを有して、紙面奥手前に延在している。矩形部２４ａは障子２０の見付け方向外側に面して形成されている。また、矩形部２４ａの見込み方向室内側面には、爪部２４ｅが設けられており、内召し合わせ框３４の爪部３４ｅと係合可能とされている。コ字状被覆片２４ｃは、障子２０において矩形部２４ａの見付け方向内側に形成され、当該コ字状内部にガラスパネル２５の外縁が挿入されている。これら矩形部２４ａ及びコ字状被覆片２４ｃは一体に形成されており、コ字状被覆片２４ｃとガラスパネル２５とが接着剤等の接着手段６０により直接接着されることで、外召し合わせ框２４とガラスパネル２５とが一体とされている。外召し合わせ框２４とガラスパネル２５とが直接接着されることで、外召し合わせ框２４の見付け幅を縮小することができ、ガラスパネル２５の採光面積を拡大することができる。また、外観視において框の与える影響が少なくなり、シンプルで意匠性に優れた引き戸とすることができる。また、外召し合わせ框２４の略中央部には施錠装置４０が設けられ、障子２０、３０の施錠及び開錠を可能としている。
【００３０】
（ガラスパネル２５）
ガラスパネル２５は、いわゆる複層ガラスパネルであり、矩形板状である２枚の板ガラスが室内外方向に所定の間隔を有して並列されている。当該２枚の板ガラスの間隙により形成される空間のうち、その外周端部には該外周端部に沿ってスペーサ２６ａ〜２６ｄが配置されている。スペーサ２６ａ〜２６ｄは、シール部材を備え、これにより、２枚の板ガラスを一体に保持して水密気密を得ることができる。また、スペーサ２６ａ〜２６ｄに乾燥剤を含ませれば、空間内側を適切な湿度に保つことも可能となる。
【００３１】
＜引手５０＞
図１、４に示すように、引手５０は、障子２０の戸先框２３に設けられている。以下、図５〜７を参照しつつ、本実施形態の引手５０について説明する。
【００３２】
図５は、本実施形態の引き戸１００の外障子２０が開放されて、戸先框２３に設けられた引手５０が、内召し合わせ框３４と行き違う状態を示している。図６は、図５において、二点鎖線で示される領域ＶＩ近傍について拡大して示す図であり、引手５０に手指Ｆを引っ掛けて、図６（ａ）に矢印で示される方向に障子２０をスライドさせている状態にある。図７は本実施形態にかかる引手５０の具体的な構成を説明するための図であり、図７（ａ）が引手５０を概略的に示す斜視図、図７（ｂ）が引手の水平断面形状を概略的に示す図である。
【００３３】
引手５０の形状について説明する。図７に示されるように、引手５０は取り付け片５０ａ、傾斜部５０ｂ、操作片５０ｃ、指掛け部５０ｄを有している。
【００３４】
取り付け片５０ａは、引手５０の戸先側に設けられる平板状の片であり、戸先框２３のコ字状被覆片２３ｃのうち、見込み方向室内側に面する片の見込み方向室外側面（以下、「取り付け面」という場合がある。）に取り付け可能とされている。戸先框２３には、引手５０が備えられる部位において、切り欠きが設けられていてもよく、当該切り欠きに挿入されるように、取り付け片５０ａが取り付け面に取り付けられ得る。一方で、例えば、取り付け片５０ａに凹部や溝部を設けて、コ字状被覆片２３ｃの見付け方向内側端部を、当該凹部へと噛み込ませるようにして、取り付け片５０ａが取り付け面に保持されて取り付けられてもよい。取り付け片５０ａの取り付け面への取り付けについては、例えば、接着剤等の接着手段を用いて、取り付け片５０ａが戸先框２３のコ字状被覆片２３ｃへと接着された形態とすることができる。この場合、上記框とガラスパネルとの接着に用いる接着手段６０と同様のものを用いることができる。従って、引手５０の接着のために別途新たな部材等を用意する必要がないため、製造コストを抑えることができ、且つ、容易な取り付けが可能とされている。取り付け片５０ａは、平板状に薄く形成されているため、戸先框２３が細く形成されていても、容易に取り付けることができる。また、引手５０が戸先框２３に取り付けられて、引手として機能するのに十分な程度の強度を有する。
【００３５】
傾斜部５０ｂは、取り付け片５０ａの召し合わせ側に設けられている。図７（ｂ）に示されるように、傾斜部５０ｂは、見付け面に対して角度αを有して傾斜している。また、傾斜部５０ｂの戸先側の頂端は、戸先框２３の見込み方向室内側端面と見込方向面一とされるか、若しくは見込み方向室内側となることが好ましい。特に、頂端が、戸先框２３の見込み方向室内側端面と見込方向面一とされることが好ましい。
【００３６】
操作片５０ｃは、傾斜部５０ｂの召し合わせ側から伸びる片であり、当該操作片５０ｃの召し合わせ側先端に指掛け部５０ｄが設けられている。操作片５０ｃの形状、及び指掛け部５０ｄと傾斜部５０ｂとの間の長さについては、引手５０に手指Ｆが引っ掛け可能な形態であれば、特に限定されない。例えば、図示されるような、平板状の操作片５０ｃとすることができる。また、引手５０が戸先框２３に取り付けられて、引手として機能するのに十分な程度の強度を有する。
【００３７】
指掛け部５０ｄは、操作片５０ｃの召し合わせ側に設けられており、ここに手指Ｆが引っ掛けられて、障子２０をスライド可能としている。指掛け部５０ｄの形状、大きさについては、引手５０が上記間隙Ａへと入り込むことが可能な形態であれば、特に限定されない。特に、操作性の観点から、操作片５０ｃの見込み方向室内側面を基準とした指掛け部５０ｄの高さが５ｍｍ以上となるような形態が好ましい。
【００３８】
図５、６に示されるように、引手５０の指掛け部５０ｄに手指Ｆを引っ掛けて、図６（ａ）の矢印で示される方向に障子２０をスライドさせるとする。障子２０を障子３０側へとスライドさせていくと、やがて引手５０は、内召し合わせ框３４と行き違うこととなる。そして、ストッパー（不図示）等に突き当たるまで、障子２０はスライドされ得る。引手５０が内召し合わせ框３４と行き違う際、従来の引手においては、内召し合わせ框３４及び戸先框２３の間から手指Ｆを抜く際、手指Ｆが挟まれてしまう虞があった。
【００３９】
これに対し、本実施形態においては、引手５０と内召し合わせ框３４との間に、間隙Ａ（図６（ｂ）参照。）が設けられるとともに、引手５０の形状を上記のように従来とは異なるものとしている。間隙Ａに関しては、手指Ｆを当該間隙Ａに挿入可能な程度の大きさであればよい。例えば、間隙Ａを８ｍｍ以上１２ｍｍ以下とすることができる。間隙Ａを小さくしすぎると手指Ｆを挟んでしまう虞があり、一方で間隙Ａを大きくしすぎると、引き戸１００の見込み寸法が大きくなってしまう。
【００４０】
傾斜部５０ｂの角度αの好ましい範囲については、０°以上６０°以下、特に好ましくは５°以上３０°以下である。角度αが小さすぎると、傾斜部５０ｂの戸先側の頂端が、戸先框２３の見込み方向室内側端面よりも、見込み方向室外側となってしまうため、戸先框２３と内召し合わせ框３４とによって手指を挟んでしまう虞がある。また、角度αを小さくするとともに、下記操作片５０ｃを見込み方向室内側へと配置した場合は、上記間隙Ａが小さくなってしまう。一方、角度αを大きくしすぎると、引手５０から手指がスムーズに抜けなくなるため、手指を挟んでしまう虞がある。
【００４１】
このように、引手５０は、取り付け片５０ａにより戸先框２３へと容易に取り付けることができ、戸先框２３の寸法を不要に増加させる必要がない。特に本実施形態のような、ガラスパネル２５と框とが接着手段等によって接着され、框が細く形成されている場合でも、問題なく適用することができる。また、接着手段を併用することにより製造コストを抑えることができる。さらに、引手５０の取り付け高さを調節して、幼児等の手が届かない場所に引手を設けることができるので、幼児等が不用意に引き戸１００を開閉してしまう虞がない。さらに、引手５０には傾斜部５０ｂが設けられているので、引手５０と内召し合わせ框３４とが行き違う際、手指Ｆが挟まれることなく、手指Ｆを安全に引き抜くことができる。一方、本実施形態のように、引手５０を、取り付け片５０ａ、傾斜部５０ｂ、操作片５０ｃ、及び指掛け部５０ｄのみからなる形状とすれば、複雑な形状を有することがなく、シンプルで見映えのよい外観とすることができる。生産性、意匠性に優れる引手５０とすることができる。
【００４２】
＜障子３０＞
障子３０は、内障子であり、上横框３１、下横框３２、戸先框３３、内召し合わせ框３４、ガラスパネル３５、スペーサ３６ａ〜３６ｄ、及び引手５０を有している。図３、４に示されるように、障子３０は、障子２０とほぼ同様の構成を有するため、説明を省略する。但し、障子３０においても、上記障子２０と同様、框（上横框３１、下横框３２、戸先框３３、内召し合わせ框３４）のコ字状被覆片３１ｃ〜３４ｃにガラスパネル３５が接着剤等の接着手段６０により直接接着されている。框とガラスパネル３５とを直接接着することで、框の見付け幅を縮小でき、ガラスパネル３５の採光面積を拡大することができる。さらに、好ましくは、障子２０、３０のすべての框とガラスパネルとを直接接着する形態とすることで、引き戸１００全体としての採光面積に与える影響が極めて大きくなるとともに、引き戸１００全体の外観視が極めてシンプルとなるため、従来よりも採光性、意匠性に優れる引き戸１００とすることができる。また、本実施形態においては、内障子３０の戸先框３３にも、上記と同様の引手５０が設けられている。内障子３０に引手５０を設けることで、簡易な構造で採光性、断熱性を向上させることができ、且つ、安全性に優れる引き戸とすることができる。
【００４３】
上記説明においては、いわゆる引き違いの引き戸１００について説明したが、本発明はこれに限定されない。片側障子が嵌め殺しとされた引き戸としても、本発明の引手５０により、簡易な構造で採光性、断熱性、及び生産性を向上させることができ、且つ、安全性に優れる引き戸とすることができる。
【００４４】
また、上記説明においては、框とガラスパネルとが、接着手段により接着された形態について説明したが、本発明はこれに限定されない。取り付け片５０ａにより、引手５０が框に取り付けられ得る形態であれば、框の見付け寸法を縮小することができる。但し、框とガラスパネルとを、接着手段により接着した形態として、框の見付け寸法をさらに縮小し、且つ、接着手段を引手５０の取り付けにも併用することが好ましい。
【００４５】
また、上記説明においては、枠体１０の縦枠１４、１５にカバー部材７０、７１が備えられる形態について説明したが、本発明はこれに限定されない。カバー部材７０、７１を設けない形態としてもよい。但し、断熱性確保の観点、意匠性向上の観点から、カバー部材７０、７１を設けることが好ましい。
【００４６】
また、上記説明においては、引手５０の取り付け片５０ａが、戸先框２３のコ字状被覆片２３ｃのうち、見込み方向室内側に面する片の見込み方向室外側面に接着されて取り付け可能とされている形態について説明したが、引手５０が戸先框２３に取り付けられ得るような形態であれば、本発明はこれに限定されない。例えば、コ字状被覆片２３ｃのうち、見込方向に延びる片に、引手５０の取り付け片５０ａがネジ留めされて固定される形態としてもよい。すなわち、取り付け片５０ａの戸先側端部を折り曲げるとともに、当該戸先端部にネジ穴を設けることで、取り付け片５０ａの戸先側端部を、コ字状被覆片２３ｃのコ字状内側となる片へと、ネジ留め可能とされる。尚、この場合であっても、引手５０の取り付け片５０ａは、戸先框２３のコ字状被覆片２３ｃのうち、見込み方向室内側に面する片の見込み方向室外側面に配置された形態となる。
【００４７】
また、上記説明においては、操作片５０ｃが、平板状に形成され、当該平板状の操作片５０ｃの戸先側に傾斜部５０ｂが、召し合わせ側端部に指掛け部５０ｄが形成された引手５０について説明したが、本発明はこれに限定されない。例えば、図８に示されるように、平板状の操作片５０’ｃの略中央部をくり抜いて、凹部又は穴部５１’を設けることで、戸先側に傾斜部５０’ｂ、召し合わせ側に指掛け部５０’ｄを形成してもよい。
【００４８】
また、本発明にかかる引手は、上記以外にも様々な形態を例示することができる。例えば、図９（ａ）に示すように、取り付け片１５０ａ、傾斜部１５０ｂ、及び指掛け部１５０ｄを有するとともに操作片を有さない引手１５０としてもよい。また、取り付け片１５０ａを、ガラスパネル表面に直接貼り付ける形態としてもよい。例えば、図９（ａ）の引手１５０において、取り付け片１５０ａの裏面（室外側面）に接着剤やテープ等を塗布、貼り付けることで、取り付け片１５０ａの当該裏面をガラスパネル表面に貼り付けることができる。
【００４９】
また、引手を複数の部材で構成してもよい。例えば、図９（ｂ）に示すように、引手カバー２５１と引手台座２５２とからなる引手２５０とすることができる。引手２５０において、引手台座２５２には戸先框、或いはガラスパネルに取り付けられる取り付け片２５０ａが設けられている。一方、引手カバー２５１には、傾斜部２５０ｂと指掛け部２５０ｄが設けられている。引手カバー２５１と引手台座２５２とを固定する方法としては特に限定されず、引手カバー２５１を引手台座２５２に嵌め込むことにより固定してもよいし、接着剤等を用いて固定してもよい。引手カバー２５１や引手台座２５２の材質については、特に限定されるものではないが、取扱いの容易さや意匠性の観点から、引手カバー２５１を樹脂により構成し、引手台座２５２を金属、特にステンレス鋼により構成することが好ましい。
【００５０】
さらに、引手２５０の取り付け片２５０ａのように、戸先側端部が略直角に折り曲げられ、見込み方向室外側に延びる片２５０ｅを有する形態としてもよい。この形態によれば、戸先框２３のコ字状の被覆片２３ｃにガラスパネル２５を差し込み固定する際、引手２５０の片２５０ｅをガラスパネルの戸先側端面に掛止しながら固定することができる。これにより、見付け方向及び見込み方向の双方向に対して、引手２５０を固定することができる。
【００５１】
また、上記説明においては、障子２０、３０の框２１〜２４、３１〜３４について、室外側片、室内側片、及び被覆片が一体に形成された形態について説明したが、本発明はこれに限定されない。複数の部材からなる框２１〜２４、３１〜３４としてもよい。例えば、断熱性向上の観点から、框の見込み方向に延びる片の略中央部に断熱部材を設け、当該断熱部材を介して、框の室内側片、室外側片が設けられた框（断熱部材によって、框が室内側と室外側とに分断されているような、断熱部材を介したブリッジ構造）としてもよい。また、同じく断熱性向上の観点から、框の一部にさらに樹脂カバー等を設けた複合構造としてもよい。
【００５２】
以上、現時点において最も実践的であり、かつ好ましいと思われる実施形態に関連して本発明を説明したが、本発明は、本願明細書中に開示された実施形態に限定されるものではなく、特許請求の範囲及び明細書全体から読み取れる発明の要旨或いは思想に反しない範囲で適宜変更可能であり、そのような変更を伴う引き戸もまた本発明の技術的範囲に包含されるものとして理解されなければならない。
【符号の説明】
【００５３】
１０            枠体
１１            上横枠
１２            下横枠
１４、１５        縦枠
２０            障子
２１            上横框
２１ｃ            被覆片
２２            下横框
２２ｃ            被覆片
２３            戸先框
２４            外召し合わせ框
２５            ガラスパネル
２６            スペーサ
３０            障子
４０            施錠装置
５０            引手
６０            接着手段
７０、７１        カバー部材
１００            引き戸
【図１】
2010285836.tif 000003
【図２】
2010285836.tif 000004
【図３】
2010285836.tif 000005
【図４】
2010285836.tif 000006
【図５】
2010285836.tif 000007
【図６】
2010285836.tif 000008
【図７】
2010285836.tif 000009
【図８】
2010285836.tif 000010
【図９】
2010285836.tif 000011